(57)【特許請求の範囲】
【請求項１】
グリル庫内に、加熱手段と、加熱容器及び該加熱容器から吹きこぼれる煮汁等を受けるグリル皿と、加熱容器の側面を囲む枠部からなる位置固定部材と、を備え、位置固定部材の複数箇所から下方に向けて位置決め部を突設すると共に、グリル皿に前記位置固定部材を載置した時に前記位置決め部が位置する部分に該位置決め部が挿入される位置決め孔を形成し、位置固定部材をグリル皿上に載置して位置決め部を位置決め孔に挿入することで位置固定部材をグリル皿に対して位置決めし、加熱容器の前後左右の側面から側方に向けて突設した載置部を前記位置固定部材の枠部上に載置して、加熱容器が枠部により前後左右に位置決めされて且つ加熱容器とグリル皿とが接触しない状態で加熱容器を支持して成ることを特徴とするグリルを備えた加熱調理器における加熱容器の位置固定構造。
【発明の詳細な説明】
【技術分野】
【０００１】
本発明は、グリルを備えた加熱調理器における加熱容器の位置固定構造に関するものである。
【背景技術】
【０００２】
従来から、グリルを備えた加熱調理器が普及しており（例えば特許文献１参照）、このグリルを備えた加熱調理器にあっては、グリル庫内に焼き網を配置すると共に焼き網の下方に煮汁等を受けるグリル皿を配置し、グリル庫内に設けたガスバーナ等の加熱手段によって焼き網上に載置された魚等の調理物の焼き調理を行うことができるようになっている。また、調理物を入れた加熱容器をグリル庫内に入れてオーブン調理を行う加熱調理器も知られており、この加熱調理器にあっては、グリル庫内に煮汁等を受けると共に加熱容器を載置するグリル皿を配置し、調理物を入れた加熱容器を前記グリル皿に載置して、グリル庫内に設けたガスバーナ等の加熱手段によって加熱容器を加熱してオーブン調理を行うものである。
【特許文献１】特開２００５−２０７６６７号公報
【発明の開示】
【発明が解決しようとする課題】
【０００３】
ところで、上述した加熱容器を入れてオーブン調理を行うグリルを備えた加熱調理器にあっては、加熱容器をグリル皿に載置するのであるが、この時、加熱容器のグリル皿に載置する位置が決まっていないと、加熱容器の位置が調理の都度異なってしまい、庫内温度分布・昇温速度が一定にならないといった問題が生じるため、特願２００６−２８８３６３における発明のようにグリル皿に載置する加熱容器の位置固定手段を備えたものが考えられた。このものにあっては、グリル皿に加熱容器の底面が嵌入される凹部を形成したり、あるいはグリル皿上に複数の線材を並設してなる加熱容器受けを備えてこの加熱容器受けに加熱容器の底面が嵌入される凹部を形成することで、加熱容器の位置固定が行われるものである。しかしながら、前者のグリル皿に加熱容器の底面が嵌入される凹部を形成したものにあっては、加熱容器の底面とグリル皿の上面とが直接接触するものであるため、前記接触を繰り返すうちにグリル皿の表面に施した皮膜が剥がれてしまったりグリル皿が損傷してしまう、という問題があった。
【０００４】
そこで、後者のように加熱容器とグリル皿との間に加熱容器受けを介在させることで、加熱容器の底面とグリル皿の上面とが直接接触するのを防止して、グリル皿の表面に施した皮膜が剥がれたりグリル皿が損傷するのを防止することが可能となる。
【０００５】
しかしながら、加熱容器とグリル皿との間に加熱容器受けを介在させるものにあっては、加熱容器底面の高さ方向の位置は、グリル皿の煮汁受け部の底面の位置よりも加熱容器受けの線材厚みに相当する寸法ほど高くなって、加熱容器受けの線材厚みに相当する寸法ほど、加熱容器使用時のグリル庫内の有効高さが低くなってしまうものであり、また、加熱容器から吹きこぼれた煮汁等が加熱容器受けの複数の線材に付着してしまい、手入れとして複数の線材を一つずつ拭き掃除によりに清浄にする必要があり、手入れが面倒なものであった。
【０００６】
本発明は上記従来の問題点に鑑みて発明したものであって、その目的とするところは、加熱容器の底面がグリル皿に載置されることによってグリル皿の被膜が剥がれたりグリル皿が損傷するのを防止すると共に、吹きこぼれた煮汁等を拭き掃除する手入れがし易く、更に、加熱容器使用時のグリル庫内の有効高さが低くなるのを防止することができるグリルを備えた加熱調理器における加熱容器の位置固定構造を提供することを課題とするものである。
【課題を解決するための手段】
【０００７】
上記課題を解決するために請求項１に係る発明は、グリル庫１０内に、加熱手段２と、加熱容器３及び該加熱容器３から吹きこぼれる煮汁等を受けるグリル皿４と、加熱容器３の側面を囲む枠部５１からなる位置固定部材５と、を備え、位置固定部材５の複数箇所から下方に向けて位置決め部５５を突設すると共に、グリル皿４に前記位置固定部材５を載置した時に前記位置決め部５５が位置する部分に該位置決め部５５が挿入される位置決め孔４４を形成し、位置固定部材５をグリル皿４上に載置して位置決め部５５を位置決め孔４４に挿入することで位置固定部材５をグリル皿４に対して位置決めし、加熱容器３の前後左右の側面から側方に向けて突設した載置部６を前記位置固定部材５の枠部５１上に載置して、加熱容器３が枠部５１により前後左右に位置決めされて且つ加熱容器３とグリル皿４とが接触しない状態で加熱容器３を支持して成ることを特徴とするものである。
【０００８】
このような構成とすることで、加熱容器３が位置固定部材５を介してグリル皿４に位置決めされた状態で載置されて、グリル皿４と加熱容器３とが直接接触することがなくて、グリル皿４の被膜が剥がれたりグリル皿４が損傷するのを防止すると共に、位置固定部材５に煮汁等が付着しても拭き掃除による手入れがし易いものであり、更に、加熱容器３の側面に載置部６を突設して位置固定部材５の枠部５１上に載置することで、加熱容器３の底面の煮汁受け部からの高さが僅かな距離となるように載置部６を設ける高さ位置を調節して、加熱容器使用時のグリル庫１０内の有効高さが低くなるのを防止することができる。
【発明の効果】
【００１１】
本発明にあっては、加熱容器がグリル皿に直接接触することによってグリル皿の被膜が剥がれたりグリル皿が損傷するのを防止すると共に、吹きこぼれた煮汁等を拭き掃除する手入れがし易いものである。
【発明を実施するための最良の形態】
【００１２】
以下、本発明の一実施形態について添付図面に基づいて説明する。
【００１３】
本発明の加熱調理器１は本体内部にグリル庫１０を備えている。グリル庫１０は、内部の天井近傍に上火バーナ２１と、左右側面に下火バーナ２２とを加熱手段２として備えると共に、グリル皿４と、グリル皿４上に載置される加熱容器３と、を備えている。加熱容器３としては、本実施形態では、厚手の鋳鉄や陶器のような熱容量の大きな材質のものを用いて、加熱容器本体３１及び該加熱容器本体３１の上開口を閉塞する容器蓋３２とを備えた所謂ダッチオーブンとするが、他の容器であってもよい。
【００１４】
グリル庫１０の前面にはグリル開閉を行うグリル扉１１が設けられている。グリル扉１１にはグリル皿４を載せるためのグリル皿受け１２が一体に取付けられており、グリル扉１１を把手１３により前方に引出すことにより、グリル皿４上に置かれている加熱容器３を取り出すことができる。グリル扉１１中央には、庫内確認用覗き窓１４が取り付けられている。
【００１５】
下火バーナ２２の直上には、下火カバー１５が取り付けられている。
【００１６】
加熱容器３を使用しないときは、図９に示すようにグリル焼網を導入できるように構成されている。図９中の符号１８はグリル皿４上に載置される脚部１８ａを備えたグリル焼き網、符号１９は魚等の調理物である。
【００１７】
グリル庫１０の後方には排気通路１６が設けられており、上下バーナからの燃焼ガスが排気通路１６を経由して上方に導かれ、排気口カバー１７を通過して外部に排出されるように構成されている。排気通路１６の上部、下部には、それぞれ温度センサ（図示せず）が配設されており、各部の排気温度上昇速度を検知して加熱制御を可能とするように構成されている。
【００１８】
グリル皿４は、本実施形態では平面視略矩形状をして上方に開口する上下高さの低い箱状をした箱状本体４１と、箱状本体４１の上端開口縁から外側方へと連設されて外郭が平面視略矩形状となるフランジ部４２と、フランジ部４２の周縁から下方に垂下される垂下部４３とからなり、箱状本体４１の底面が煮汁が溜まる煮汁受け部となる。また上述したグリル皿受け１２は、線材を平面視において前記グリル皿４の垂下部４３よりも若干小さい略矩形の枠状に形成したもので、グリル皿４の箱状本体４１を前記枠状のグリル皿受け１２内に上方から挿入して、グリル皿４のフランジ部４２をグリル皿受け１２に載置し、グリル皿４の垂下部４３をグリル皿受け１２の外周に沿って位置させることで、グリル皿４のグリル皿受け１２に対する位置固定が行われる。
【００１９】
そして本発明においては、加熱容器３が載置されて該加熱容器３の位置固定を行う位置固定部材５が設けられる。
【００２０】
位置固定部材５は、グリル皿４のフランジ部４２に載置されると共に加熱容器３が載置される平面視略矩形状をした枠部５１で主体が構成されるもので、本実施形態では断面が上下に長い偏平した形状の線材からなり、加熱容器３の側面を外側から囲むことができる寸法形状の略矩形状の枠部５１とし、グリル皿４の短辺側のフランジ部４２に前記枠部５１の短辺側の枠部５１ａが載置される。また、一方の短辺側の枠部５１ａ（本実施形態では手前すなわちグリル扉１１側の枠部５１）の内側近傍には、両側の長辺側の枠部５１ｂ間に短辺側の枠部５１ａと平行に該枠部５１と同様の線材からなる架設片５２が架設してある。そして、もう一方の短辺側の枠部５１ａ（本実施形態では奥側の枠部５１）と、架設片５２と、両側の長辺側の枠部５１ｂとに、加熱容器３に形成してある載置部６が載置される被載置部５３が設けてある。
【００２１】
また位置固定部材５には、グリル皿４に対して位置決めを行なう位置決め部５５が設けてある。位置決め部５５は、枠部５１の複数箇所から下方に向けてそれぞれ突出するピン状のもので、グリル皿４のフランジ部４２の対応する位置、即ち、グリル皿４の短辺側のフランジ部４２に前記位置固定部材５の枠部５１の短辺側の枠部５１ａを載置した時に前記位置決め部５５が位置する部分にそれぞれ形成してある位置決め孔４４に挿入されて位置決めが行われる。本実施形態では、手前側の短辺側の枠部５１ａに、該枠部５１と同様の線材を側面視において略半円弧状となるように形成した弧状部材５４の両端部が枠部５１から若干下方に突出するように枠部５１の内側に溶接により固定してあり、前記弧状部材５４の両端部の枠部５１から若干下方に突出する部分が位置決め部５５となっていると共に、前記弧状部材５４の枠部５１よりも上側の部分を把持部５６として利用することができ、一つの弧状部材５４にて位置決め部５５と把持部５６とを兼用するものである。
【００２２】
なお、位置決め部５５は、枠部５１から下に突出する部分の長さをそれぞれ異ならせてあり、これにより、位置決め部５５が位置決め孔４４に正しく挿入されず、位置決め部５５の先端がグリル皿４のフランジ部４２上に載置された時に、位置固定部材５が傾いて、使用者が誤セットに気付き易いようにしてある。
【００２３】
加熱容器３は、本実施形態では平面視略楕円形状をしていて、その長軸が位置固定部材５及びグリル皿４の長辺側に沿うようにして、側面に形成してある載置部６が、位置固定部材５の奥側の短辺側の枠部５１ａ及び架設片５２の中央部と、両側の長辺側の枠部５１ｂの前記奥側の短辺側の枠部５１ａと架設片５２との間の中央部とに設けてある被載置部５３に載置され、位置決めされた状態で係止される。加熱容器３の載置部６は、加熱容器３の側面から側方に向けて突出していて、その略下方向きの面が位置固定部材５の枠部５１に載置される載置面６１となるもので、略楕円状をした加熱容器３の長軸及び短軸と交わる部分にそれぞれ形成してある。図中の符号３３はそれぞれ加熱容器本体３１及び容器蓋３２に設けた把手である。
【００２４】
この加熱容器３にて調理を行うには、まず、グリル扉１１を開いてグリル皿受け１２に載せているグリル皿４を引き出し、グリル皿４の位置決め孔４４に位置決め部５５を挿入してグリル皿４のフランジ部４２に載置されている位置固定部材５の枠部５１内に、上方より加熱容器本体３１を挿入して、加熱容器３の側面に突出する載置部６の載置面６１を位置固定部材５の枠部５１の被載置部５３に載置し、位置固定部材５により加熱容器３を支持して、グリル扉１１を閉じてオーブン調理を行うものである。
【００２５】
上記のような構成においては、加熱容器３とグリル皿４との間に位置固定部材５が介在することとなって、グリル皿４と加熱容器３とが直接接触することがなくて、グリル皿４の被膜が剥がれたりグリル皿４が損傷するのを防止すると共に、位置固定部材５に煮汁等が付着しても拭き掃除による手入れがし易いものである。
【００２６】
また、従来例のようにグリル皿４の煮汁受け部上に加熱容器受けを位置させて該加熱容器受け上に加熱容器３の底面を載置するのではなく、加熱容器３の側面に設けた載置部６を位置固定部材５の被載置部５３に載置するものであるため、加熱容器３の底面のグリル皿４の煮汁受け部からの高さ位置は、加熱容器３の側面に設ける載置部６の高さ位置を調節することで任意に設定することができ、加熱容器３の底面の煮汁受け部からの高さを僅かな距離（少なくとも従来の加熱容器受けの線材の厚みより小さい距離）とすることで、加熱容器使用時のグリル庫１０内の有効高さが低くなるのを防止することができるものである。
【００２７】
なお、グリル庫１０内を加熱する熱源は、ガス、電気等特に限定されないものである。
【図面の簡単な説明】
【００２８】
【図１】本発明の一実施形態の側断面図である。
【図２】同上の正面断面図である。
【図３】同上においてグリル皿上に位置固定部材を介して加熱容器を載置した状態の平面図である。
【図４】同上のグリル皿を示し、（ａ）は平面図であり、（ｂ）は正面図であり、（ｃ）は側面図である。
【図５】同上の位置固定部材を示し、（ａ）は平面図であり、（ｂ）は正面図であり、（ｃ）は側面図である。
【図６】同上の加熱容器の斜視図である。
【図７】同上の加熱容器本体を示し、（ａ）は平面図であり、（ｂ）は側面図であり、（ｃ）は正面図である。
【図８】同上の容器蓋を示し、（ａ）は平面図であり、（ｂ）は側面図であり、（ｃ）は正面図である。
【図９】グリル皿にグリル焼き網を載置する場合の正面断面図である。
【符号の説明】
【００２９】
１    加熱調理器
１０  グリル庫
１１  グリル扉
１２  グリル皿受け
１６  排気通路
２    加熱手段
３    加熱容器
３１  加熱容器本体
３２  容器蓋
４    グリル皿
４４  位置決め孔
５    位置固定部材
５１  枠部
６    載置部
６１  載置面
【図１】
0005074846.tif 000002
【図２】
0005074846.tif 000003
【図３】
0005074846.tif 000004
【図４】
0005074846.tif 000005
【図５】
0005074846.tif 000006
【図６】
0005074846.tif 000007
【図７】
0005074846.tif 000008
【図８】
0005074846.tif 000009
【図９】
0005074846.tif 000010